(57)【要約】【課題】地山からトンネル内に局所的に比較的多量の湧き水が湧き出た場合にも、排水機能の低下や局所的な水圧の上昇等の種々の障害の発生を防止することができる排水シートを提供する。【解決手段】合成樹脂製排水シート２は、幅方向中央において縦方向に延びる水路部分４と、水路部分４の幅方向両側において縦方向に延びる一対の壁面取り付け部分６とを有する。水路部分４と一対の壁面取り付け部分６の一方との間、及び水路部分４と一対の壁面取り付け部分６の他方との間のそれぞれには、片側面に突出して縦方向に延びる区画リブ８が形成されている。水路部分４の片側面には複数の第１の突起１０が形成され、一対の壁面取り付け部分６のそれぞれの片側面には複数の第２の突起１２が形成されている。【選択図】図１
2019210678.tif 000002
【特許請求の範囲】
【請求項１】
地山からトンネル内に湧き出る湧き水を排水するための合成樹脂製排水シートであって、
幅方向中央において縦方向に延びる水路部分と、前記水路部分の幅方向両側において縦方向に延びる一対の壁面取り付け部分とを有し、
前記水路部分と前記一対の壁面取り付け部分の一方との間及び前記水路部分と前記一対の壁面取り付け部分の他方との間のそれぞれには、片側面に突出して縦方向に延びる区画リブが形成されており、
前記水路部分の片側面には複数の第１の突起が形成され、前記一対の壁面取り付け部分のそれぞれの片側面には複数の第２の突起が形成されている合成樹脂製排水シート。
【請求項２】
前記水路部分の前記複数の第１の突起は縦方向及び幅方向に整列している、請求項１記載の合成樹脂製排水シート。
【請求項３】
前記複数の第１の突起の他側面は前記複数の第１の突起の形状に対応して没入している、請求項１又は２記載の合成樹脂製排水シート。
【請求項４】
前記壁面取り付け部分の前記複数の第２の突起は千鳥状に配置されている、請求項１から３までのいずれかに記載の合成樹脂製排水シート。
【請求項５】
前記複数の第２の突起の他側面は前記複数の第２の突起の形状に対応して没入している、請求項１から４までのいずれかに記載の合成樹脂製排水シート。
【請求項６】
前記区画リブの他側面は前記区画リブの形状に対応して没入している、請求項１から５までのいずれかに記載の合成樹脂製排水シート。
【請求項７】
地山からトンネル内に湧き出る湧き水を排水するための合成樹脂製排水シートであって、
幅方向中央において縦方向に延びる水路部分と、前記水路部分の幅方向両側において縦方向に延びる一対の壁面取り付け部分とを有し、
前記一対の壁面取り付け部分のそれぞれの片側面は前記水路部分の片側面よりも突出しており、
前記水路部分の片側面には複数の突起が形成されている合成樹脂製排水シート。
【請求項８】
前記水路部分と前記一対の壁面取り付け部分の一方との間及び前記水路部分と前記一対の壁面取り付け部分の他方との間のそれぞれには、片側面に突出して縦方向に延びる区画リブが形成されている、請求項７記載の合成樹脂製排水シート。
【発明の詳細な説明】
【技術分野】
【０００１】
本発明は、地山からトンネル内に湧き出る湧き水を排水するための合成樹脂製排水シートに関する。
【背景技術】
【０００２】
地山にトンネルを施工するトンネル施工工事においては、近年、背面平滑型トンネルライニング工法と呼ばれる新工法が用いられるようになっている。この背面平滑型トンネルライニング工法においては、まず、掘削機械を用いて又は爆破等によりトンネル用の穴を掘削する。次いで、トンネル壁面にコンクリートを吹き付けてトンネル壁面を強化すると共に、吹き付けコンクリート壁に崩壊防止用のロックボルトを敷設する。次いで、ロックボルト敷設部分等を通って地山からトンネル内に湧き出る湧き水を、トンネル下部に排水するための合成樹脂製排水シートを敷設する。この排水シートは、吹き付けコンクリート壁におけるロックボルト敷設部分等の湧水部から吹き付けコンクリート壁の下端部まで吹き付けコンクリート壁に沿って、かつトンネルの長手方向に間隔をおいて複数敷設される。なお、排水シートは吹き付けコンクリート壁の一方の下端部から他方の下端部まで吹き付けコンクリート壁に沿って（たとえばアーチ状に）敷設される場合もある。次いで、防水シートを設置した後に排水シートと防水シートとの間にモルタル等の裏込め充填材を充填する。そして、防水シートの露出面側に覆工コンクリートを打設する。
【０００３】
上記背面平滑型トンネルライニング工法においては、排水シートと防水シートとの間に裏込め充填材を充填することから、吹き付けコンクリート壁と排水シートとの間の湧き水が流れる水路に裏込め充填材が流入して水路が閉塞し、排水シートの排水機能が低下ないし喪失してしまうというおそれがある。
【０００４】
このような問題を防止するための排水シートとして、下記特許文献１には水路への裏込め充填材の流入を防止することができる排水シートが開示されている。この排水シートは、幅方向中央において縦方向に延びる水路部分（導水部）と、水路部分の幅方向両側において縦方向に延びる一対の壁面取り付け部分（取り付け部）とを有する。水路部分の片側面には、幅方向に間隔をおいて縦方向に延びる複数の導水リブが垂直に起立した状態で形成されている。各壁面取り付け部分には、幅方向に間隔をおいて縦方向に延びる複数の封止リブが形成されている。そしてこの排水シートによれば、裏込め充填材を充填する際に、各壁面取り付け部分の複数の封止リブによって、吹き付けコンクリート壁と排水シートの水路部分との間の水路への裏込め充填材の流入が防止される。
【先行技術文献】
【特許文献】
【０００５】
【特許文献１】特開２０１７−２２７１１９号公報
【発明の概要】
【発明が解決しようとする課題】
【０００６】
しかしながら、上記特許文献１に開示された排水シートにおいては、導水リブによって個々の導水路が区画されており、ある導水路を流れる湧き水は隣接する導水路に流れ込むことがないので、局所的に比較的多量の湧き水が湧き出た場合に、排水機能の低下や局所的な水圧の上昇等の種々の障害が発生するおそれがある。
【０００７】
上記事実に鑑みてなされた本発明の課題は、局所的に比較的多量の湧き水が湧き出た場合にも、排水機能の低下や局所的な水圧の上昇等の種々の障害の発生を防止することができる排水シートを提供することである。
【課題を解決するための手段】
【０００８】
上記課題を解決するために本発明の第１の局面が提供するのは以下の合成樹脂製排水シートである。すなわち、地山からトンネル内に湧き出る湧き水を排水するための合成樹脂製排水シートであって、幅方向中央において縦方向に延びる水路部分と、前記水路部分の幅方向両側において縦方向に延びる一対の壁面取り付け部分とを有し、前記水路部分と前記一対の壁面取り付け部分の一方との間及び前記水路部分と前記一対の壁面取り付け部分の他方との間のそれぞれには、片側面に突出して縦方向に延びる区画リブが形成されており、前記水路部分の片側面には複数の第１の突起が形成され、前記一対の壁面取り付け部分のそれぞれの片側面には複数の第２の突起が形成されている合成樹脂製排水シートである。
【０００９】
好ましくは、前記水路部分の前記複数の第１の突起は縦方向及び幅方向に整列している。前記複数の第１の突起の他側面は前記複数の第１の突起の形状に対応して没入しているのが好ましい。前記壁面取り付け部分の前記複数の第２の突起は千鳥状に配置されているのが好ましい。前記複数の第２の突起の他側面は前記複数の第２の突起の形状に対応して没入しているのが好ましい。前記区画リブの他側面は前記区画リブの形状に対応して没入しているのが好ましい。
【００１０】
また、上記課題を解決するために本発明の第２の局面が提供するのは以下の合成樹脂製排水シートである。すなわち、地山からトンネル内に湧き出る湧き水を排水するための合成樹脂製排水シートであって、幅方向中央において縦方向に延びる水路部分と、前記水路部分の幅方向両側において縦方向に延びる一対の壁面取り付け部分とを有し、前記一対の壁面取り付け部分のそれぞれの片側面は前記水路部分の片側面よりも突出しており、前記水路部分の片側面には複数の突起が形成されている合成樹脂製排水シートである。
【００１１】
前記水路部分と前記一対の壁面取り付け部分の一方との間及び前記水路部分と前記一対の壁面取り付け部分の他方との間のそれぞれには、片側面に突出して縦方向に延びる区画リブが形成されているのが好ましい。
【発明の効果】
【００１２】
本発明の第１の局面が提供する合成樹脂製排水シートにおいては、水路部分の片側面に形成された複数の第１の突起と区画リブとによって、吹き付けコンクリート壁と水路部分の片側面との間に湧き水が流れる水路を規定することができ、この水路には導水リブ等の仕切りが存在しないので、局所的に比較的多量の湧き水が湧き出た場合にも水路全体で湧き水を排水することができ、排水機能の低下や局所的な水圧の上昇等の種々の障害の発生を防止することができる。
【００１３】
また、本発明の第１の局面の合成樹脂製排水シートにおいては、各壁面取り付け部分の片側面に形成された複数の第２の突起によって、吹き付けコンクリート壁と壁面取り付け部分との間に流入する裏込め充填材の流入速度を和らげることができると共に、吹き付けコンクリート壁と水路部分との間の水路への裏込め充填材の流入を各区画リブによって防止することができる。
【００１４】
さらに、本発明の第１の局面の合成樹脂製排水シートにおいては、各壁面取り付け部分の第２の突起間に裏込め充填材が流入するため、裏込め充填材が固化した際に複数の第２の突起が裏込め充填材に打ち込まれた状態となり、本発明の第１の局面の合成樹脂製排水シートと裏込め充填材とが強固に固定される。
【００１５】
本発明の第２の局面が提供する合成樹脂製排水シートにおいては、各壁面取り付け部分の片側面が水路部分の片側面よりも突出していると共に、水路部分の片側面に複数の突起が形成されていることから、吹き付けコンクリート壁と水路部分の片側面との間に湧き水が流れる水路を規定することができ、この水路には導水リブ等の仕切りが存在しないので、局所的に比較的多量の湧き水が湧き出た場合にも水路全体で湧き水を排水することができ、排水機能の低下や局所的な水圧の上昇等の種々の障害の発生を防止することができる。
【図面の簡単な説明】
【００１６】
【図１】本発明に従って構成された合成樹脂製排水シートの第１の実施形態を示す斜視図。
【図２】図１に示す合成樹脂製排水シートの平面図。
【図３】図２におけるＡ−Ａ線断面図。
【図４】本発明に従って構成された合成樹脂製排水シートの第２の実施形態を示す斜視図。
【図５】図４に示す合成樹脂製排水シートの平面図。
【図６】図５におけるＢ−Ｂ線断面図。
【発明を実施するための形態】
【００１７】
まず、本発明に従って構成された合成樹脂製排水シートの第１の実施形態について図１ないし図３を参照しつつ説明する。
【００１８】
図１及び図２を参照して説明すると、全体を符号２で示す合成樹脂製排水シート（以下「排水シート２」という。）は、ポリオレフィン（たとえばポリプロピレン）等の適宜の非透水性合成樹脂から長方形状に形成されている。排水シート２の寸法については、たとえば、縦方向寸法（図１及び図２において符号Ｌで示す長手方向寸法）を１０〜３０ｍ程度とし、幅方向寸法（図１及び図２において符号Ｗで示す短手方向寸法）を５００〜６００ｍｍ程度とし、厚さを１ｍｍ程度とすることができる。なお、排水シート２を形成するための材料に白色顔料を混入することによって排水シート２を白色とした場合には、トンネル内での排水シート２の視認性が良好となる。
【００１９】
図１及び図２に示すとおり、排水シート２は、幅方向中央において縦方向に延びる水路部分４と、水路部分４の幅方向両側において縦方向に延びる一対の壁面取り付け部分６とを有する。水路部分４と一対の壁面取り付け部分６の一方との間、及び水路部分４と一対の壁面取り付け部分６の他方との間のそれぞれには、片側面に突出して縦方向に延びる区画リブ８が形成されている。このように排水シート２は、幅方向中央の水路部分４と、幅方向外側の一対の壁面取り付け部分６とに一対の区画リブ８によって区画されている。
【００２０】
水路部分４の片側面には、互いに適宜の間隔をおいて複数の第１の突起１０が形成されている。図示の実施形態の第１の突起１０は、先端に向かって直径が次第に減少する円錐台形状に形成されている。なお、水路部分４の幅方向寸法はたとえば２５０〜３５０ｍｍ程度であり、第１の突起１０の寸法については、たとえば、片側面からの突出寸法を５〜１０ｍｍ程度とし、基端部の直径を１０〜２０ｍｍ程度とし、先端部の直径を５〜１５ｍｍ程度とすることができる。
【００２１】
図示の実施形態では、複数の第１の突起１０は縦方向及び幅方向に整列している。隣接する第１の突起１０の中心間の縦方向間隔はたとえば１５〜３０ｍｍ程度でよく、隣接する第１の突起１０の中心間の幅方向間隔はたとえば１５〜５０ｍｍ程度でよいが、想定される湧き水の湧き出し量等に応じて適宜の間隔に設定される。なお、湧き水が流れる方向（縦方向）の水路面積を出来るだけ大きくすると共に、裏込め充填材等によって排水シート２が吹き付けコンクリート壁に押し付けられて水路面積が小さくならないようにする観点から、隣接する第１の突起１０の中心間の縦方向間隔よりも、隣接する第１の突起１０の中心間の幅方向間隔が大きくするのが好ましい。
【００２２】
各壁面取り付け部分６の片側面には、互いに適宜の間隔をおいて複数の第２の突起１２が形成されている。図示の実施形態における複数の第２の突起１２は、第１の突起１０と同様に先端に向かって直径が次第に減少する円錐台形状に形成されている一方、第１の突起１０とは異なり千鳥状に配置されている。第２の突起１２の寸法は第１の突起１０の寸法と実質上同一でよい。また、隣接する第２の突起１２の中心間隔はたとえば１５〜２５ｍｍ程度でよいが、裏込め充填材の粘度等に応じて適宜の間隔に設定される。なお、第１の突起１０及び第２の突起１２の形状については、半球状（ドーム状）や円柱状、角錐台形状、角柱状等でもよく、あるいは平面視長円の錐台形状や柱状であってもよい。
【００２３】
図示の実施形態の区画リブ８は、先端に向かって幅方向寸法が次第に減少する断面台形状に形成されているが、断面矩形状や断面半円弧状に形成されていてもよい。区画リブ８の寸法については、たとえば、片側面からの突出寸法を５〜１０ｍｍ程度とし、基端部の幅を１０〜２０ｍｍ程度とし、先端部の幅を５〜１５ｍｍ程度とすることができる。なお、区画リブ８の突出寸法は第１の突起１０及び第２の突起１２の突出寸法と実質上同一でよい。
【００２４】
図示の実施形態では図３に示すとおり、第１の突起１０の他側面のそれぞれは第１の突起１０の形状に対応して没入しており、かつ、第２の突起１２の他側面のそれぞれは第２の突起１２の形状に対応して没入しており、かつ区画リブ８の他側面のそれぞれは区画リブ８の形状に対応して没入している。このように、第１の突起１０と第２の突起１２と区画リブ８のそれぞれの他側面が没入する形状である場合には、エンボス加工等によって排水シート２を容易に加工することができる。
【００２５】
上述の排水シート２を用いてトンネル施工工事を行うことの効果について説明する。トンネルを施工する際は、掘削したトンネルの壁面にコンクリートを吹き付けてトンネル壁面を強化すると共に、吹き付けコンクリート壁に崩壊防止用のロックボルトを敷設する。次いで、吹き付けコンクリート壁におけるロックボルト敷設部分等の湧水部から吹き付けコンクリート壁の下端部まで吹き付けコンクリート壁に沿って、かつトンネルの長手方向に間隔をおいて複数の排水シート２を敷設する。なお、吹き付けコンクリート壁の一方の下端部から他方の下端部まで吹き付けコンクリート壁に沿って（たとえばアーチ状に）排水シート２を敷設してもよい。排水シート２を敷設する際は、複数のコンクリート釘Ｎ（図１参照。）を壁面取り付け部分６に打ち込むことにより、吹き付けコンクリート壁に排水シート２を取り付ける。図示の実施形態の排水シート２では、壁面取り付け部分６の第２の突起１２の他側面が没入しているので、第２の突起１２の他側面がコンクリート釘Ｎのガイドになり、排水シート２の他側面上でコンクリート釘Ｎが滑らずに安定した状態でコンクリート釘Ｎを適正に打ち込むことができる。
【００２６】
また、排水シート２では、第１の突起１０、第２の突起１２及び区画リブ８の他側面がそれぞれの形状に対応して没入しているから、排水シート２の他側面に他の排水シート２の片側面を重ねることができ、粘着テープ等を用いて縦方向において排水シート２同士を容易に接続することができる。このため、排水シート２の他側面に他の排水シート２の片側面を重ねることにより排水シート２同士を容易に接続し、吹き付けコンクリート壁に沿って所要とおりの長さで排水シート２を敷設することができる。また、排水シート２の他側面に他の排水シート２の片側面を重ねた際には、排水シート２の他側面と他の排水シート２の片側面とが密着することにより、排水シート２同士の縦方向における接続部の水密性が保たれ、水路部分４からの漏水が防止されると共に、吹き付けコンクリート壁と水路部分４との間への裏込め充填材の流入が防止される。さらに、排水シート２の第１の突起１０の他側面に他の排水シート２の第１の突起１０が噛み合い、かつ第２の突起１２の他側面に他の排水シート２の第２の突起１２が噛み合い、かつ区画リブ８の他側面に他の排水シート２の区画リブ８が噛み合うことにより、排水シート２同士の縦方向における接続部の位置ずれが防止される。
【００２７】
吹き付けコンクリート壁は平坦ではないことが多いところ、各壁面取り付け部６と吹き付けコンクリート壁との接触は、第２の突起１２のそれぞれの先端と吹き付けコンクリート壁との多数の点接触のような態様であるので、吹き付けコンクリート壁に排水シート２を沿わせて容易に敷設することができる。
【００２８】
排水シート２を敷設した後は、型枠によって防水シートを支持した後、排水シート２と防水シートとの間にモルタル等の裏込め充填材を充填する。この際、各壁面取り付け部分６の複数の第２の突起１２によって、吹き付けコンクリート壁と壁面取り付け部分６との間に流入する裏込め充填材の流入速度が和らぐと共に、吹き付けコンクリート壁と水路部分４との間への裏込め充填材の流入が各区画リブ８によって防止される。図示の実施形態では、複数の第２の突起１２が千鳥状に配置されているので、裏込め充填材の流入に対する抵抗を比較的大きくして裏込め充填材の流入速度をより効果的に和らげることができる。
【００２９】
排水シート２と防水シートとの間に裏込め充填材を充填する際には第２の突起１２間に裏込め充填材が流入するため、裏込め充填材が固化した際に複数の第２の突起１２が裏込め充填材に打ち込まれた状態となり、排水シート２と裏込め充填材とが強固に固定され、排水シート２の位置ずれが防止される。また、図示の実施形態では、第１の突起１０、第２の突起１２及び区画リブ８のそれぞれの他側面が没入しているから、これらの部分に裏込め充填材が流入し、裏込め充填材が固化した際に第１の突起１０、第２の突起１２及び区画リブ８のそれぞれの他側面に裏込め充填材が打ち込まれた状態となり、排水シート２と裏込め充填材とが一層強固に固定される。なお、排水シート２と裏込め充填材とが強固に固定されるという効果を奏するには、複数の第１の突起１０、複数の第２の突起１２又は一対の区画リブ８のいずれかの他側面が没入していればよい。
【００３０】
そして、防水シートを設置すると共に裏込め充填材を充填した後、防水シートの露出面側に覆工コンクリートを打設する。このようにしてトンネルを施工すると、排水シート２の水路部分４の複数の第１の突起１０と区画リブ８とによって、吹き付けコンクリート壁と水路部分４の片側面との間に湧き水が流れる水路が規定される。この水路には導水リブ等の仕切りが存在しないので、ロックボルト敷設部分等を通って局所的に比較的多量の湧き水が湧き出た場合には水路全体で湧き水が排水され得る。図示の実施形態では、複数の第１の突起１０が縦方向及び幅方向に整列しているので、吹き付けコンクリート壁と水路部分４の片側面との間の水路の抵抗が比較的小さく、地山から湧き出た湧き水が良好に排水される。以上のとおりであり、排水シート２においては、排水機能の低下や局所的な水圧の上昇等の種々の障害の発生を防止することができる。
【００３１】
次に、本発明に従って構成された合成樹脂製排水シートの第２の実施形態について図４ないし図６を参照しつつ説明する。
【００３２】
図４及び図５を参照して説明すると、全体を符号２２で示す合成樹脂製排水シート（以下「排水シート２２」という。）は、適宜の非透水性合成樹脂から長方形状に形成されており、幅方向中央において縦方向に延びる水路部分２４と、水路部分２４の幅方向両側において縦方向に延びる一対の壁面取り付け部分２６とを有する。水路部分２４と一対の壁面取り付け部分２６の一方との間、及び水路部分２４と一対の壁面取り付け部分２６の他方との間のそれぞれには、片側面に突出して縦方向に延びる区画リブ２８が形成されている。第２の実施形態における区画リブ２８は、第１の実施形態と同様に、先端に向かって幅方向寸法が次第に減少する断面台形状に形成されている。また、各区画リブ２８の他側面は区画リブ２８の形状に対応して没入している。なお、第２の実施形態の排水シート２２においては、一対の区画リブ２８が形成されていなくてもよい。
【００３３】
水路部分２４の片側面には、互いに適宜の間隔をおいて複数の突起３０が形成されている。第２の実施形態の突起３０は、先端に向かって直径が次第に減少する円錐台形状に形成され、かつ縦方向及び幅方向に整列している。また、図６に示すとおり、各突起３０の他側面は突起３０の形状に対応して没入している。
【００３４】
第２の実施形態では、図４及び図６を参照することによって理解されるとおり、各壁面取り付け部分２６の片側面は水路部分２４の片側面（突起３０が形成されていない部分）よりも突出していると共に、各壁面取り付け部分２６の他側面は水路部分２４の他側面よりも没入している。すなわち、水路部分２４と一対の壁面取り付け部分２６の一方との間、及び水路部分２４と一対の壁面取り付け部分２６の他方との間のそれぞれには、縦方向に延びる第１の屈曲部３２及び第２の屈曲部３４が形成されている。なお、水路部分２４の片側面と各壁面取り付け部分２６の片側面との段差は、突起３０の突出寸法や区画リブ２８の突出寸法と同一でよい。
【００３５】
第２の実施形態の排水シート２２においても、第１の実施形態と同様に、エンボス加工等によって容易に加工することができる。
【００３６】
上述の排水シート２２を用いてトンネル施工工事を行うことの効果について説明する。排水シート２２においては、突起３０及び区画リブ２８の他側面がそれぞれの形状に対応して没入していると共に、水路部分２４と各壁面取り付け部分２６との間に第１の屈曲部３２及び第２の屈曲部３４が形成されているから、排水シート２２の他側面に他の排水シート２２の片側面を重ねることができ、粘着テープ等を用いて縦方向において排水シート２２同士を容易に接続することができる。
【００３７】
このため、排水シート２２の他側面に他の排水シート２２の片側面を重ねることにより排水シート２２同士を容易に接続し、吹き付けコンクリート壁に沿って所要とおりの長さで排水シート２２を敷設することができる。また、排水シート２２の他側面に他の排水シート２２の片側面を重ねた際には、排水シート２２の他側面と他の排水シート２２の片側面とが密着することにより、排水シート２２同士の縦方向における接続部の水密性が保たれ、水路部分２４からの漏水が防止されると共に、吹き付けコンクリート壁と水路部分２４との間への裏込め充填材の流入が防止される。さらに、排水シート２２の突起３０の他側面に他の排水シート２２の突起３０が噛み合い、かつ区画リブ２８の他側面に他の排水シート２２の区画リブ２８が噛み合うことにより、排水シート２２同士の縦方向における接続部の位置ずれが防止される。
【００３８】
水路部分２４に複数の突起３０が形成されていると共に、各壁面取り付け部分２６の片側面が水路部分２４の片側面よりも突出していることから、複数のコンクリート釘Ｎを壁面取り付け部分２６に打ち込んで、吹き付けコンクリート壁に排水シート２２を取り付けると、吹き付けコンクリート壁と水路部分２４の片側面との間に湧き水が流れる水路が規定される。この水路には導水リブ等の仕切りが存在しないので、ロックボルト敷設部分等を通って局所的に比較的多量の湧き水が湧き出た場合には水路全体で湧き水が排水され、排水機能の低下や局所的な水圧の上昇等の種々の障害の発生が防止される。
【００３９】
吹き付けコンクリート壁に排水シート２２を取り付けると、各壁面取り付け部分２６の片側面が吹き付けコンクリート壁に押し付けられるので、吹き付けコンクリート壁と水路部分２４との間への裏込め充填材の流入が防止される。また、区画リブ２８が形成されている場合には、吹き付けコンクリート壁と水路部分２４との間への裏込め充填材の流入がより効果的に防止される。
【００４０】
第２の実施形態においても、突起３０及び区画リブ２８のそれぞれの他側面に裏込め充填材が流入し、裏込め充填材が固化した際に突起３０及び区画リブ２８のそれぞれの他側面に裏込め充填材が打ち込まれた状態となり、排水シート２２と裏込め充填材とが強固に固定され、排水シート２２の位置ずれが防止される。
【符号の説明】
【００４１】
２：合成樹脂製排水シート（第１の実施形態）
４：水路部分
６：壁面取り付け部分
８：区画リブ
１０：第１の突起
１２：第２の突起
２２：合成樹脂製排水シート（第２の実施形態）
２４：水路部分
２６：壁面取り付け部分
２８：区画リブ
３０：突起
【図１】
2019210678.tif 000003
【図２】
2019210678.tif 000004
【図３】
2019210678.tif 000005
【図４】
2019210678.tif 000006
【図５】
2019210678.tif 000007
【図６】
2019210678.tif 000008